(57)【要約】【課題】リューズを締め込む際、所定以上のトルクでは締め込まないように構成するリューズ締め込み具を提供すること。【解決手段】リューズ締め込み具は、リューズに係合する係合部１１と係合部１１を回動操作する操作ハンドル部とを備えている。係合部１１は、樹脂材で形成するとともに、リューズと係合可能な凹部１４を形成する。凹部１４は、リューズと係合可能な係合雌部１４１と、係合雌部１４１より大径に形成する逃がし部１４２とを備えている。係合雌部１４１を、リューズの外周面を型取って現合で形成し、逃がし部１４２を係合雌部１４１の端部からリューズ側表面に向かって広がるテーパ状に形成する。【選択図】図４
2007309774.tif 000002
【特許請求の範囲】
【請求項１】
時計本体から突出した状態のリューズに係合可能な係合部と、前記係合部に着脱可能に形成されるとともに前記係合部と同一軸線上に配置される操作ハンドル部を備えて、前記リューズに着脱可能に構成されるリューズ締め込み具であって、
前記係合部が、前記リューズの外周面を型取った凹部を有するか、又は前記リューズの外周面に形成された溝部の全部あるいは一部に係合可能な嵌合凹部を有して、前記操作ハンドル部に着脱可能に装着され、
さらに、前記凹部あるいは前記嵌合凹部に締め付けトルクを逃がすための逃がし手段を設けたことを特徴とするリューズ締め込み具。
【請求項２】
前記逃がし手段は、前記係合部のリューズ側端面から所定の深さに形成されて前記リューズの係合する前記凹部あるいは前記嵌合凹部の内径より大径の逃がし部として形成されていることを特徴とする請求項１記載のリューズ締め込み具。
【請求項３】
前記逃がし部が、前記リューズ側に拡径するテーパ面に形成されていることを特徴とする請求項２記載のリューズ締め込み具。
【請求項４】
前記逃がし部が、軸方向と平行なストレート面に形成されていることを特徴とする請求項２記載のリューズ締め込み具。
【請求項５】
前記係合部が、樹脂製で形成されていることを特徴とする請求項１，２，３又は４のいずれかに記載のリューズ締め込み具。
【発明の詳細な説明】
【技術分野】
【０００１】
本発明は、時計のリューズを簡易に締め込むためのリューズ締め込み具であり、さらに携帯可能なリューズ締め込み具に関する。
【背景技術】
【０００２】
通常、防水時計のリューズを締め込む場合爪で巻きつける。また機械式防水時計は、小さなリューズを指先でつかみ巻き上げるか、あるいはウォッチワインダーと呼ばれているぜんまい自動巻き上げ器で巻き上げていた。しかし、比較的小さなリューズを爪で巻きつけることは、充分な締め込みができない場合もあり、特に女性の場合には爪を痛めることになる。また、自動巻き上げ器の場合には、時計を構成するロータを回転させることになるが、このロータの回転によるぜんまいの巻き上げ後の駆動時間は、４０時間程度で止まることになり頻繁にぜんまいの巻き上げ作業とリューズ締め込み作業を行わなければならなかった。さらに、自動巻き上げ器は嵩張ることと重量が大きいことから、例えば、旅行時に容易に持ち運ぶことができなかった。
【０００３】
従来、持ち運びができて簡易に操作できるリューズ締め込み具は、特許文献１によって知られている。これによれば、リューズ締め込み具は、時計のリューズに係合可能な棒状の係合部と、前記係合部に着脱可能に形成されて前記係合部を回動可能な操作ハンドル部とを有して１本の棒状に形成されている。そしてこのリューズ締め込み具は、コンパクトに形成されているとともにアクセサリーとしても使用できるために首にかけたりキーホルダーとしてポケットに収納したりして持ち運びが容易である。しかも操作は簡単で廉価に製作されていることから、特に防水時計を所有している人には極めて利便に使用されていた。
【特許文献１】特許第３５２１４０９号公報（３〜４頁、図４参照）
【発明の開示】
【発明が解決しようとする課題】
【０００４】
しかし、特許文献１で示されるリューズ締め込み具は、容易に締め付けができることから、逆に締め込み過ぎる場合もある。ねじの締め込みすぎは、ねじ切れを起こす虞れがある。時計のリューズのねじが切れることは、その修理に多大な費用をかけることになるから、通常、リューズ締め込み具の購入時に、取扱説明書の中でねじの締め過ぎの注意をしている。
【課題を解決するための手段】
【０００５】
本発明は、上述の課題を解決するものであり、携帯可能に構成されるとともにねじの締めすぎを防止できるリューズ締め込み具を提供することを目的とする。
【０００６】
本発明に係るリューズ締め込み具は、上記の課題を解決するために以下のように構成するものである。すなわち、
請求項１記載の発明では、時計本体から突出した状態のリューズに係合可能な係合部と、前記係合部に着脱可能に形成されるとともに前記係合部と同一軸線上に配置される操作ハンドル部を備えて、前記リューズに着脱可能に構成されるリューズ締め込み具であって、前記係合部が、前記リューズの外周面を型取った凹部を有するか、又は前記リューズの外周面に形成された溝部の全部あるいは一部に係合可能な嵌合凹部を有して、前記操作ハンドル部に着脱可能に装着され、さらに、前記凹部あるいは前記嵌合凹部に締め付けトルクを逃がすための逃がし手段を設けたことを特徴とするものである。
【０００７】
請求項２記載の発明では、前記逃がし手段は、前記係合部のリューズ側端面から所定の深さに形成されて前記リューズの係合する前記凹部あるいは前記嵌合凹部の内径より大径の逃がし部として形成されていることを特徴としている。
【０００８】
請求項３記載の発明では、前記逃がし部が、前記リューズ側に拡径するテーパ面に形成されていることを特徴としている。
【０００９】
請求項４記載の発明では、前記逃がし部が、軸方向と平行なストレート面に形成されていることを特徴としている。
【００１０】
請求項５記載の発明では、前記係合部が、樹脂製で形成されていることを特徴としている。
【発明の効果】
【００１１】
本発明によれば、リューズの外径に係合する係合部を操作ハンドル部に装着して、係合部をリューズに嵌めこんだ後、操作ハンドル部を操作する。これによってリューズを締め込むことができる。この際、リューズ締め込み具の係合部には、所定のトルク以上に締め過ぎないように、逃がし手段を設けていることから、リューズ締め込み具を回し過ぎてもねじ切れには到ることがない。この逃がし手段は、例えば、リューズの外周面に係合する係合部にリューズ側端面から所定深さで大径に形成された逃がし部を有している。そのため、リューズ締め付け具の係合部をリューズに嵌め込むと、係合部の底部がリューズ締め込み具の係合部に係合し、係合部の先端部（リューズ側）がリューズの外周面に半係合状態あるいは非係合状態で対向する。従って、リューズ外周面を型取った凹部又はリューズの溝部の全部一部に係合可能な嵌合凹部は、係合部の底部辺りの狭い範囲でリューズの外周面と係合する。さらに、係合部は軟らかい樹脂製で形成されていることから、リューズを締め込むことによって所定トルク以上の大きなトルクが掛かると、係合部の凹部又は係合凹部がリューズの外周面を空回りすることになる。これによって、締め込みトルクを低減することができる。
【００１２】
従って、携帯可能であって、しかも容易に操作できて安心して使用できることから、使用者にとって利便性を向上することができる。
【００１３】
また、逃がし手段を形成する逃がし部は、リューズの外周面より大径に形成されていれば、テーパ面でもストレート面でもよい。
【発明を実施するための最良の形態】
【００１４】
次に、本発明のリューズ締め込み具の一実施形態を図面に基づいて説明する。図１に示すように、実施形態のリューズ締め込み具１０は、時計１の本体３から突出したリューズ５に係合して締め込み可能に形成されている。リューズ締め込み具１０は、図２に示すように、リューズ５に係合するリューズ係合部（以下、係合部という。）１１と、係合部１１と同一直線上に配置されて係合部１１に着脱可能に配置される操作ハンドル部１８とを備えている。係合部１１と操作ハンドル部１８とは、図２に示すように直接的に連結してもよく、また図３に示すように、アタッチメント２５を介して連結してもよい。
【００１５】
図２における実施形態のリューズ締め込み具１０の係合部１１は、図４に示すように、樹脂製で円柱状に形成されるとともに係合部本体１２と係合部本体１２の一端から軸方向に突出する接続部１３とを備えている。係合部本体１２には、リューズ側端面から所定深さにリューズに係合可能な凹部１４が形成されている。凹部１４は、底部側にこの溝５ａに係合可能な係合雌部１４１と、表面側（リューズ側端面から係合雌部１４１との間）に係合雌部１４１より大径に形成された逃がし部１４２が形成されている。係合雌部１４１は、図５に示すように、リューズ５の外周面形状を型取って形成されている。リューズ５の外周面は、通常軸方向に沿って多数の溝５ａが形成されているものが多く使用されていることから、実施形態の係合雌部１４１は、外周面が山谷部を有する歯状に形成されている。もちろん、係合雌部１４１が歯状ではなく、山谷部のない円形であれば、係合雌部１４１は、リューズ５の外周面と間で、摩擦力によって回動できる程度の嵌合状態で係合される。また、実施形態の逃がし部１４２は、図４に示すように、係合雌部１４１の谷部外径からリューズ側端面に向かって広がるテーパ面で形成されている。
【００１６】
凹部１４の深さはリューズ５の厚みと略同一の寸法に形成され、係合雌部１４１と逃がし部１４２との寸法比は、係合部１１の柔軟度にもよるが、係合部１１が比較的軟らかいものであれば、リューズ５の外周面に係合する面を多少多く形成するために、７：３〜８：２の割合でよく、係合部１１が硬いものであれば、５：５〜６：４の割合で形成されることが望ましい。また、逃がし部１４２の形状がテーパ面を形成している場合、その傾斜角度は、１５〜２５°（望ましくは２０°）であることが望ましい。逃がし部１４２の形状が軸方向と平行なストレート面である場合は、逃がし部１４２はリューズ５の最大外周面と略同一かそれ以上に形成されることが望ましい。
【００１７】
接続部１３は、実施形態においては、断面正方形に形成している。この接続部１３は、係合部本体１２と樹脂材で一体的に形成されて操作ハンドル部１８に着脱可能に形成されている。この接続部１３は、断面正方形に形成された各側面部が係合部本体１２から操作ハンドル部１８に向かって、軸方向に縮径する傾斜面を有している。接続部１３の外径と傾斜面の角度は、接続部１３を操作ハンドル部１８に装着した際に、自然状態で外れない程度に形成されていればよい。
【００１８】
また、接続部１３の側面部はテーパ状でなく軸方向に平行な面で形成されていてもよく、断面形状が長方形状であってもよい。さらに断面多角形（例えば、６角形や８角形）で形成することによって、この部位で空回り可能に形成することもできる。この場合、空回り部位は１箇所で行うことが望ましいことから、係合部１１の係合雌部１４１とリューズ５との嵌合状態は、空回りしにくいように、きつくすることになり、又、逃がし部１４２は前述と同様に形成される。
【００１９】
この係合部１１は、熱可塑性の樹脂材、例えば、エラストマで形成されたものや、またポロウレタン製で形成されることが望ましく、リューズ５を締め込む際に、所定以上のトルクが掛かったときに、リューズ５に対して係合雌部１４１が逃げやすくなる、つまり、リューズ５の溝５ａを飛び越えて空回り可能に形成されることがよい。
【００２０】
この係合部１１の凹部１４を形成する一形態は、樹脂製の係合部１１を雌型として高温状態に加熱した後、リューズ５を軸心方向に沿って頭部側から挿入して係合雌部１４１を形成し、さらにテーパ状の雄型を端面側から逃がし部１４２の深さ分挿入することによって逃がし部１４２を形成する。この成形方法では、係合部１１の係合雌部１４１は、リューズ５と現合で形成されることから、係合部１１をリューズ５に嵌め込む際には、適合した嵌合状態を形成することができる。
【００２１】
また、この凹部１４を、アルミニウム材又は鉄材あるいはステンレス材等の比較的強度の高い薄肉状のパイプ内に、熱可塑性樹脂材を埋設して形成してもよい。この場合、本体部１２と接続部１３を有して形成された熱可塑性樹脂材を雌型として、前述と同様、高温状態に加熱した後、リューズ５を軸心方向に沿って頭部側から挿入して係合雌部を形成し、さらにテーパ状の雄型を端面側から逃がし部１４２の深さ分挿入することによって逃がし部１４２を形成する。この係合部１１をリューズ５に嵌め込む際にも、適合した嵌合状態を形成することができる。
【００２２】
また、この係合部１１の凹部１４は、現合による成形ではなく、予め、溝部５ａを含めたリューズ５の外径に合わせた寸法で樹脂型を形成してもよい。この場合、係合雌部１４１の公差範囲を広めにしておくことによって、リューズ５を締め込む際において、所定以上のトルクが掛かったときに逃げやすくして空回りしやすくすることができる。
【００２３】
また、図７に示すように、係合部１１における凹部１４Ａの逃がし部１４２Ａを軸方向と平行なストレート面に形成してもよい。この形態の逃がし部１４２Ａの場合、逃がし部１４２Ａの内径は、係合雌部１４１より大径で、前述の形態のテーパ面の最大内径より小さく形成されていることが好ましい。
【００２４】
また、図３に示すリューズ締め込み具２０の場合、係合部２１と操作ハンドル部２８との間にアタッチメント２５が使用される。この形態のリューズ締め込み具２０では、係合部２１は前述の形態の係合部より軸方向に長く形成されている。操作ハンドル部２８には、市販の工具、例えばねじ回し又は十字ねじ回しあるいは六角棒スパナ等を使用することができる。この場合のアタッチメント２５は、操作ハンドル部が特に六角棒スパナのセットを利用するものであれば、市販のソケットレンチ用ソケットを使用することができる。この市販のソケットレンチ用ソケットでは、係合部２１側の部位は、断面正方形の雄部２５１を形成していることから、係合部２１の接続部２３は、雄部２５１と係合する雌部２３１が形成されることとなる。もちろんアタッチメント２５を市販の物ではなく、専用に製作してもよい。この場合のアタッチメントは、係合部２１側に雌部を形成して係合部に形成した雄部（例えば、図２における係合部１１の接続部１３と同様の形態）に係合可能とすることもできる。つまり、図２における係合部１１と操作ハンドル部１８との間にアタッチメント２５が係合できるようにアタッチメント２５の両端部を形成する。
【００２５】
また、図２におけるリューズ締め込み具１０において、図８に示すように、操作ハンドル部１８にローレット加工１８１を施せば、リューズ５を締め付ける際に操作しやすく、さらに中央部に平面部１８２を形成すれば、使用する時計の種類又はメーカー名を刻印しておくことができる。また、操作ハンドル部１８の一端に紐１９を挿通しておけば、図９に示すように紐１９を首にかけることによって、リューズ締め込み具１０をアクセサリーとして使用することができる。
【００２６】
次に上記のように構成されたリューズ締め込み具１０の作用について説明する。以下の説明では、図２のリューズ締め込み具１０のようにアタッチメント２５を使用しないで、係合部１１を直接操作ハンドル部１８に装着して使用するものとする。先ず、図８に示すように、使用している時計１のリューズ５に、リューズの型に合わせた複数の係合部１１のうち、適合する係合部１１を選択し、係合部１１を操作ハンドル部１８に装着する。そして、時計１のリューズ５に係合部１１を嵌め込む。この際、軸方向におけるリューズ５の時計本体３側の略半分が、逃がし部１４２と対向して配置され、リューズ５の頭部側先端がリューズ締め込み具１０における係合雌部１４１に係合される。
【００２７】
この状態で操作ハンドル部１８を回すと、リューズ５のねじが緩んでいる間は、係合雌部１４１がリューズ５の溝５ａに係合していることからリューズ５が締め込まれて回転される。この際、テーパ状の逃がし部１４２は、リューズ５の外周面に対して係合しない逃げた状態にあるから、リューズ５は軸方向における略半分の部位が係合雌部１４１によってのみ回転される。リューズ５のねじが所定トルクに達すると、係合雌部１４１は、それ自体でリューズ５を回転させる力はなく、操作ハンドル部１８により回す力は、係合雌部１４１がリューズ５の溝５ａを飛び越えることによって係合部１１を空回りさせることになる。
【００２８】
リューズ締め込み具１０を使用しないときには、図９に示すように、操作ハンドル部１８に挿通した紐１９を首に掛けてアクセサリーとして使用する。
【００２９】
上述のように、実施形態のリューズ締め込み具１０では、リューズ５を締め込む際に、所定のトルク以上でリューズ５を締め付けることを防止できることから、リューズのねじ切れを防止することができ、使用者は、安心して使用することができる。しかも、リューズ締め込み具１０は、軽くて見た目もよく、アクセサリーとしても使用できることから、旅行時に携帯することができる。また、リューズ５と係合する係合部１１が樹脂成形で形成されるとともに、構成が簡単なために廉価に購入することができる。さらに、メーカーの種類別で複数購入しても、廉価に手に入れることができるから、使用者にとって利便性を向上することができる。
【００３０】
なお、本発明のリューズ締め込み具は、上記の形態に限定するものではない。例えば、係合部における係合雌部は、リューズに溝が形成されている場合、係合雌部が、リューズに形成されたすべての溝に係合する必要はなく、一部にリューズの溝に係合可能な山谷部（嵌合凹部）を有して形成するものであってもよい。また、逃がし部の形状は、係合雌部より大径であれば、上記以外の形態、例えば、段差形状又は波状内周面で形成されていてもよい。さらに、係合部と操作ハンドル部との間にアタッチメントを配置する場合には、アタッチメントが係合凹部と操作ハンドル部とをそれぞれ係合可能に形成するものであれば、その形状を問うものではない。
【図面の簡単な説明】
【００３１】
【図１】腕時計リューズと本発明の一形態によるリューズ締め込み具とを示す正面図である。
【図２】図１における第１の形態のリューズ締め込み具を示す正面図である。
【図３】同第２の形態のリューズ締め込み具を示す正面図である。
【図４】図２におけるリューズ締め込み具の係合部を示す正面断面図である。
【図５】図４におけるＶ矢視図である。
【図６】図４におけるVI矢視図である。
【図７】図２における別の形態の係合部を示す正面断面図である。
【図８】各部位に加工された操作ハンドル部を示すリューズ締め込み具の斜視図である。
【図９】リューズ締め込み具をアクセサリーとして使用する状態を示す正面図である。
【符号の説明】
【００３２】
１、時計
５、リューズ
１０、リューズ締め込み具
１１、係合部
１３、接続部
１４、凹部
１４１、係合雌部
１４２、逃がし部
１８、操作ハンドル部
【図１】
2007309774.tif 000003
【図２】
2007309774.tif 000004
【図３】
2007309774.tif 000005
【図４】
2007309774.tif 000006
【図５】
2007309774.tif 000007
【図６】
2007309774.tif 000008
【図７】
2007309774.tif 000009
【図８】
2007309774.tif 000010
【図９】
2007309774.tif 000011